(57)【特許請求の範囲】
【請求項１】
外部機器とデータを送受信する送受信手段と、被検体の画像を医用画像として取得する画像取得手段と、操作者に情報を通知する通知手段と、前記送受信手段と前記画像取得手段と前記通知手段との動作を制御する制御手段と、を備える医用画像取得装置であって、
操作者からの指示を受け付ける受付手段を備え、
前記制御手段は、
当該医用画像取得装置と前記送受信手段を介して接続される外部機器から検査対象の被検体を特定する被検体情報と検査内容を特定する検査情報とを含むワークリストを取得するリスト取得手段と、
前記リスト取得手段が取得した２つのワークリスト間の整合性を判別する判別手段と、
検査開始前に、前記リスト取得手段に前記ワークリストを取得させ、取得したワークリストを実行ワークリストとして保持する検査前処理手段と、
前記実行ワークリストに従って、前記画像取得手段を動作させて前記医用画像を取得するとともに、前記実行ワークリストから前記医用画像に付帯させる付帯情報を生成する検査実行手段と、
検査終了時の処理を行う検査後処理手段と、を備え、
前記検査後処理手段は、前記リスト取得手段に前記検査対象の被検体の最新のワークリストを取得させるとともに、前記判別手段に、前記検査情報毎に、前記実行ワークリストと前記最新のワークリストとの整合性を判別させ、前記判別手段が整合性無しと判別した場合、前記付帯情報とともに前記医用画像を送信する、前記最新のワークリストから新たな付帯情報を生成し、当該付帯情報とともに前記医用画像を送信する、および、前記医用画像を送信しない、のいずれかの指示を受け付ける表示を前記受付手段に行い、当該表示を介して前記操作者からの指示を受け付け、受け付けた指示に従って処理を行うこと
を特徴とする医用画像取得装置。
【請求項２】
外部機器とデータを送受信する送受信手段と、被検体の画像を医用画像として取得する画像取得手段と、操作者に情報を通知する通知手段と、前記送受信手段と前記画像取得手段と前記通知手段との動作を制御する制御手段と、を備える医用画像取得装置であって、
操作者からの指示を受け付ける受付手段を備え、
前記制御手段は、
当該医用画像取得装置と前記送受信手段を介して接続される外部機器から検査対象の被検体を特定する被検体情報と検査内容を特定する検査情報とを含むワークリストを取得するリスト取得手段と、
前記リスト取得手段が取得した２つのワークリスト間の整合性を判別する判別手段と、
検査開始前に、前記リスト取得手段に前記ワークリストを取得させ、取得したワークリストを実行ワークリストとして保持する検査前処理手段と、
前記実行ワークリストに従って、前記画像取得手段を動作させて前記医用画像を取得するとともに、前記実行ワークリストから前記医用画像に付帯させる付帯情報を生成する検査実行手段と、
検査終了時の処理を行う検査後処理手段と、を備え、
前記検査後処理手段は、前記リスト取得手段に前記検査対象の被検体の最新のワークリストを取得させるとともに、前記判別手段に、前記被検体情報および前記検査情報のそれぞれについて、被検体情報、検査情報の順に、前記実行ワークリストと前記最新のワークリストとの整合性の有無を判別させ、前記被検体情報に不整合があると判別された場合、操作者に前記付帯情報を前記最新のワークリストから生成する新たな付帯情報で更新するか否かの選択を受け付け、前記検査情報に不整合があると判別された場合、当該検査情報を不整合データとして操作者に通知すること
を特徴とする医用画像取得装置。
【請求項３】
請求項１または２記載の医用画像取得装置であって、
前記検査後処理手段は、
前記判別手段が整合性有りと判別した場合、前記送受信手段に、前記付帯情報とともに前記医用画像を外部機器に送信させ、
前記判別手段が整合性無しと判別した場合、前記通知手段に、整合性無しとの情報を通知させること
を特徴とする医用画像取得装置。
【請求項４】
請求項１から３いずれか１項記載の医用画像取得装置であって、
前記リスト取得手段は、当該医用画像取得装置が前記送受信手段を介して前記外部機器に接続されたことを受け、前記ワークリストを取得すること
を特徴とする医用画像取得装置。
【請求項５】
請求項１から３いずれか１項記載の医用画像取得装置であって、
前記リスト取得手段は、操作者からの指示に従って、前記ワークリストを取得すること
を特徴とする医用画像取得装置。
【請求項６】
請求項１から５いずれか１項記載の医用画像取得装置であって、
当該医用画像取得装置は、超音波検査装置であること
を特徴とする医用画像取得装置。
【請求項７】
請求項１から６いずれか１項記載の医用画像取得装置であって、
前記送受信手段は、ネットワークを介して前記外部機器と前記データの送受信を行うこと
を特徴とする医用画像取得装置。
【請求項８】
請求項７記載の医用画像取得装置であって、
前記ネットワークは、ＤＩＣＯＭネットワークであること
を特徴とする医用画像取得装置。
【請求項９】
被検体を特定する被検体情報と検査内容を特定する検査情報とを含むワークリストを管理するワークリストサーバと、被検体の画像を取得する医用画像取得装置と、前記医用画像取得装置が取得した画像を管理する画像管理サーバとが、ネットワークを介して接続される医用画像管理システムであって、
前記医用画像取得装置は、請求項７または８記載の医用画像取得装置であって、
前記リスト取得手段は、前記ワークリストサーバから前記ワークリストを取得し、
前記検査後処理手段は、前記画像管理サーバに前記付帯情報とともに前記画像取得手段が取得した画像を送信すること
を特徴とする医用画像管理システム。
【発明の詳細な説明】
【技術分野】
【０００１】
本発明は、医用画像ネットワーク下における医用画像管理技術に関する。特に、医用画像ネットワークに接続される装置間のデータ整合技術に関する。
【背景技術】
【０００２】
超音波検査装置、ＣＴ（Ｃｏｍｐｕｔｅｄ  Ｔｏｍｏｇｒａｐｈｙ：コンピュータ断層撮影）装置、ＭＲＩ（Ｍａｇｎｅｔｉｃ  Ｒｅｓｏｎａｎｃｅ  Ｉｍａｇｉｎｇ：核磁気共鳴映像法）装置、Ｘ線装置といった医用画像取得装置をネットワークで接続し、取得した画像（医用画像）を、同じくネットワークに接続される画像管理サーバで集中的に管理する医用画像ネットワークがある。医用画像ネットワークでは、医用画像は、例えば、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）規格に準拠した、統一したファイル形式で管理される。このファイル形式では、各医用画像が格納されるファイルに、患者を特定する患者情報、検査内容を特定する検査情報を含む付帯情報も格納される。
【０００３】
また、医用画像ネットワークでは、これらの医用画像取得装置で行う検査の依頼もネットワークに接続された各端末から行う。各端末から入力された検査依頼は、医用画像取得装置毎および患者毎に検査依頼をワークリストとして管理するワークリストサーバで管理される。このワークリストには、患者情報と検査情報とが含まれる。
【０００４】
検査は、医用画像取得装置からワークリストサーバにアクセスして取得したワークリストに従って行われる。検査が終了すると、医用画像取得装置は、ワークリストに含まれる患者情報と検査情報とから付帯情報を生成し、上記画像管理サーバに医用画像を送信する。
【０００５】
検査が長時間に及ぶ場合や突発的な事態が発生した場合など、検査中にワークリストサーバ内のワークリストが更新されることがある。例えば、救急医療の現場では、検査開始時には、患者の氏名や年齢など患者情報が不明で、検査途中に判明してワークリストの患者情報が更新されることがある。このような事態に対応するため、画像を管理する装置側でワークリストサーバに管理されるワークリストと付帯情報との整合性を保つ技術がある（例えば、特許文献１参照。）。特許文献１に開示の技術では、医用画像取得装置から医用画像を受信すると、画像を管理する装置が、ワークリストサーバにアクセスしてワークリストを取得し、付帯情報との間に不整合があれば操作者に通知する。
【０００６】
また、医用機器間で検査情報の受け渡しのガイドラインを規定するＩＨＥ（Ｉｎｔｅｇｒａｔｅｄ  Ｈｅａｌｔｈｃａｒｅ  Ｅｎｔｅｒｐｒｉｓｅ）においても、検査終了後、ワークリストサーバと画像管理サーバとの間で、患者情報の整合性をとるよう規定されている（例えば、非特許文献１参照。）。
【先行技術文献】
【特許文献】
【０００７】
【特許文献１】特開２００４−２９０２２５号公報
【非特許文献】
【０００８】
【非特許文献１】Ｉｎｔｅｇｒａｔｉｎｇ  ｔｈｅ  Ｈｅａｌｔｈｃａｒｅ  Ｅｎｔｅｒｐｒｉｓｅ，  ”ＩＨＥ  Ｒａｄｉｏｌｏｇｙ  Ｔｅｃｈｎｉｃａｌ  Ｆｒａｍｅｗｏｒｋ  Ｖｏｌｕｍｅ  Ｉ  Ｉｎｔｅｇｒａｔｉｏｎ  Ｐｒｏｆｉｌｅｓ”，  Ｒｅｖｉｓｉｏｎ  ９．０  −  Ｆｉｎａｌ  ｔｅｘｔ，  Ｊｕｎｅ  ２７，  ２００８  ［平成２２年７月２１日検索］、インターネット＜ＵＲＬ：ｈｔｔｐ：／／ｗｗｗ．ｉｈｅ．ｎｅｔ／Ｔｅｃｈｎｉｃａｌ＿Ｆｒａｍｅｗｏｒｋ／＞
【発明の概要】
【発明が解決しようとする課題】
【０００９】
しかし、上記特許文献１に開示の手法およびＩＨＥの規定は、ワークリストの変更に対し、画像送信後、ワークリストサーバおよび画像管理サーバ側で対処するものである。従って、ワークリスト内の患者情報の変更には対応できる。しかし、操作者は、画像送信時にワークリストに変更があったことを把握することはできないため、検査情報が変更された場合、対応できないことがある。例えば、複数の科を受診した患者の検査が、検査開始以降に追加された場合などである。
【００１０】
本発明は、上記事情に鑑みてなされたもので、ワークリストで指示された内容の検査を確実に実行し、正確な付帯情報を付して画像を管理する技術を提供することを目的とする。
【課題を解決するための手段】
【００１１】
本発明は、医用画像取得装置でワークリストに従って検査を実行して医用画像を取得後、画像管理サーバに送信する前に、再度ワークリストサーバにアクセスし、最新のワークリストを取得する。そして、最新のワークリストと検査を実行したワークリストとの整合性を判別し、整合している場合は取得した医用画像を付帯情報とともに画像管理サーバに送信し、整合していない場合は、その旨操作者に通知する。また、整合していない場合は、さらに、操作者の指示に従って、付帯情報を最新のワークリストから生成したものに更新してから画像管理サーバに送信してもよい。
【００１２】
具体的には、外部機器とデータを送受信する送受信手段と、被検体の画像を医用画像として取得する画像取得手段と、操作者に情報を通知する通知手段と、前記送受信手段と前記画像取得手段と前記通知手段との動作を制御する制御手段と、を備える医用画像取得装置であって、前記制御手段は、当該医用画像取得装置と前記送受信手段を介して接続される外部機器から検査対象の被検体を特定する被検体情報と検査内容を特定する検査情報とを含むワークリストを取得するリスト取得手段と、前記リスト取得手段が取得した２つのワークリスト間の整合性を判別する判別手段と、検査開始前に、前記リスト取得手段に前記ワークリストを取得させ、取得したワークリストを実行ワークリストとして保持する検査前処理手段と、前記実行ワークリストに従って、前記画像取得手段を動作させて前記医用画像を取得するとともに、前記実行ワークリストから前記医用画像に付帯させる付帯情報を生成する検査実行手段と、終了時の処理を行う検査後処理手段と、を備え、前記検査後処理手段は、前記リスト取得手段に前記検査対象の被検体の最新のワークリストを取得させ、前記判別手段に、前記実行ワークリストと前記最新のワークリストとの整合性を判別させ、前記判別手段が整合性有りと判別した場合、前記送受信手段に、前記付帯情報とともに前記医用画像を外部機器に送信させ、前記判別手段が整合性無しと判別した場合、前記通知手段に、整合性無しとの情報を通知させることを特徴とする医用画像取得装置を提供する。
【００１３】
また、被検体を特定する被検体情報と検査内容を特定する検査情報とを含むワークリストを管理するワークリストサーバと、被検体の画像を取得する医用画像取得装置と、前記医用画像取得装置が取得した画像を管理する画像管理サーバとが、ネットワークを介して接続される医用画像管理システムであって、前記医用画像取得装置は、請求項７から９いずれか１項記載の医用画像取得装置であって、前記リスト取得手段は、前記ワークリストサーバから前記ワークリストを取得し、前記検査後処理手段は、前記画像管理サーバに前記付帯情報とともに前記画像取得手段が取得した画像を送信することを特徴とする医用画像管理システムを提供する。
【００１４】
さらに、医用画像取得装置で取得した医用画像を管理する医用画像管理方法であって、外部機器から検査対象の被検体のワークリストを取得し実行ワークリストとして保持する実行ワークリスト取得ステップと、前記実行ワークリストに従って、前記被検体の医用画像を取得するとともに、前記実行ワークリストから当該医用画像に付帯させる付帯情報を生成する画像取得ステップと、前記外部機器から、前記検査対象の被検体の最新のワークリストを取得する最新ワークリスト取得ステップと、前記実行ワークリストと前記最新のワークリストとの整合性を判別する判別ステップと、前記判別結果が整合性有りの場合、前記付帯情報とともに前記取得した医用画像を外部機器に送信し、前記判別結果が整合性無しの場合、整合性がないことを操作者に通知する後処理ステップと、を特徴とする医用画像管理方法を提供する。
【発明の効果】
【００１５】
本発明によれば、ワークリストで指示された内容の検査を確実に実行し、正確な付帯情報を付して画像を管理することができる。
【図面の簡単な説明】
【００１６】
【図１】第一の実施形態の医用画像管理システムの構成図である。
【図２】第一の実施形態の医用画像取得装置毎のワークリストを説明するための説明図である。
【図３】第一の実施形態の医用画像取得装置の機能ブロック図である。
【図４】第一の実施形態の不整合発生時の表示例を説明するための説明図である。
【図５】第一の実施形態の検査ワークフローのフローチャートである。
【図６】第一の実施形態の検査後処理のフローチャートである。
【図７】第一の実施形態の検査ワークフローの変形例のフローチャートである。
【図８】第一の実施形態の検査ワークフローの変形例のフローチャートである。
【図９】第二の実施形態の不整合発生時の表示例を説明するための説明図である。
【図１０】第二の実施形態の検査後処理のフローチャートである。
【図１１】第二の実施形態の検査後処理の変形例のフローチャートである。
【図１２】第二の実施形態の検査ワークフローの変形例のフローチャートである。
【発明を実施するための形態】
【００１７】
＜＜第一の実施形態＞＞
以下、本発明を適用する第一の実施形態について説明する。以下、本発明の実施形態を説明するための全図において、同一機能を有するものは同一符号を付し、その繰り返しの説明は省略する。
【００１８】
まず、本実施形態の医用画像管理システムについて説明する。本実施形態の医用画像管理システムは、超音波検査装置、ＣＴ（Ｃｏｍｐｕｔｅｄ  Ｔｏｍｏｇｒａｐｈｙ）装置、磁気共鳴イメージング（ＭＲＩ；Ｍａｇｎｅｔｉｃ  Ｒｅｓｏｎａｎｃｅ  Ｉｍａｇｉｎｇ）装置、Ｘ線撮影装置といった、医用画像取得装置で取得した医用画像を管理するシステムである。例えば、病院内に構築される院内ネットワーク内の一部を構成する。また、本実施形態の医用画像管理システムでは、画像フォーマット、機器間の通信プロトコルは、ＤＩＣＯＭ規格に準拠しているものとする。図１は、本実施形態の医用画像管理システム１００の構成図である。
【００１９】
本図に示すように、本実施形態の医用画像管理システム１００は、病院等の施設内に設置されたＬＡＮ（Ｌｏｃａｌ  Ａｒｅａ  Ｎｅｔｗｏｒｋ）などの通信ネットワーク１１０と、ワークリストサーバ１２０と、画像管理サーバ１３０と、医用画像取得装置１４０と、を備え、ワークリストサーバ１２０、画像管理サーバ１３０および医用画像取得装置１４０は、通信ネットワーク１１０に接続される。接続されるワークリストサーバ１２０、画像管理サーバ１３０、医用画像取得装置１４０の数に限定はない。また、通信ネットワーク１１０には、図示しない端末等も接続される。
【００２０】
ワークリストサーバ１２０は、通信ネットワーク１１０に接続された端末から登録される検査オーダからワークリストを生成し、保持、管理する。検査オーダは、診療を行う医師の端末、受け付けの端末などから登録される、検査の依頼である。ワークリストは、検査機器（医用画像取得装置）ごとの実行検査リストであり、本実施形態では、被検体毎に作成される。
【００２１】
本実施形態では、図２に示すように、各医用画像取得装置のワークリスト２００は、患者を特定する情報（患者情報）２１０と、検査内容を特定する情報（検査情報）２２０とを備える。患者情報２１０には、被検体（患者）を特定する情報（患者ＩＤ）、患者名、性別、年齢などが含まれる。また、検査情報２２０には、検査種別、検査手法、検査部位、検査開始予定日などが含まれる。
【００２２】
ワークリストサーバ１２０は、外部機器（本実施形態では、医用画像取得装置１４０）側からの要求（ワークリスト要求）に応じ、要求されたワークリスト２００を要求元の外部機器に出力する。ワークリストサーバ１２０は、保持するワークリスト２００群内から要求元の外部機器（医用画像取得装置１４０）のワークリスト２００群を抽出し、要求元に返信する。返信されるワークリスト２００は、その時点の最新のものである。
【００２３】
画像管理サーバ１３０は、各医用画像取得装置１４０で取得された画像、データを管理する。なお、以下、本明細書では、１の検査で取得される画像、データを、まとめて医用画像と呼ぶ。各医用画像取得装置１４０で取得された医用画像は、それぞれＤＩＣＯＭ規格に従って変換され、画像管理サーバ１３０へ送信される。各医用画像には、当該医用画像の被検体である患者情報と検査内容を示す検査情報とを備える付帯情報が付される。
【００２４】
医用画像取得装置１４０は、ワークリスト２００の内容に従って、被検体の医用画像を取得するもので、例えば、上述の、超音波検査装置、ＭＲＩ装置、ＣＴ装置、Ｘ線撮影装置などである。本実施形態の医用画像取得装置１４０は、ワークリストサーバ１２０へワークリスト要求を送信し、受信したワークリスト２００に従って、患者の医用画像を取得する。また、取得した医用画像を画像管理サーバ１３０へ送信する。さらに、本実施形態の医用画像取得装置１４０は、医用画像を画像管理サーバ１３０へ送信する前に、その時点の最新のワークリスト２００に整合した検査が行われ、整合した付帯情報が付されているか、操作者が確認することを支援する機能を備える。
【００２５】
図３は、本実施形態の医用画像取得装置１４０の機能ブロック図である。本図に示すように、本実施形態の医用画像取得装置１４０は、制御部３１０と、画像取得部３２０と、送受信部３３０と、表示部３４０と、操作部３５０と、データ保存部３６０と、を備える。
【００２６】
画像取得部３２０は、制御部３１０の指示に従って、医用画像を取得する。例えば、超音波診断装置であれば、生体に対して種々の信号を送信し、生体内の臓器、組織構成を超音波診断画像として取得する。取得した医用画像は、データ保存部３６０に記憶する。
【００２７】
送受信部３３０は、ネットワークとのインタフェースである。制御部３１０からの指示に従って、通信ネットワーク１１０を介して、通信ネットワーク１１０に接続される他の機器とデータの送受信を行う。本実施形態では、ワークリストサーバ１２０および画像管理サーバ１３０とデータの送受信を行う。
【００２８】
表示部３４０は、医用画像取得装置１４０での処理結果、保持または生成した情報を操作者に表示する。例えば、ディスプレイなどで構成される。
【００２９】
操作部３５０は、操作者の入力インタフェースであり、例えば、キーボード、マウス、タッチパネル画面などで構成される。操作者は、操作部３５０を介して、医用画像取得装置１４０へ各種の指示を入力する。
【００３０】
制御部３１０は、医用画像取得装置１４０の各部の動作を制御し、ワークリストサーバ１２０が保持するワークリスト２００群に規定される検査を実行する。制御部３１０は、リスト取得部３１１と、判別部３１２と、検査前処理部３１３と、検査実行部３１４と、検査後処理部３１５と、を備える。
【００３１】
リスト取得部３１１は、ワークリストサーバ１２０からワークリスト２００を取得する。ワークリスト２００の取得は、送受信部３３０を介してワークリストサーバ１２０に、予め作成されたワークリスト要求を送信することにより行う。本実施形態では、リスト取得部３１１は、医用画像取得装置１４０が通信ネットワーク１１０に接続されたことを契機に、あるいは、検査前処理部３１３および検査後処理部３１５からの指示に従って、ワークリスト要求を生成し、送信する。なお、ワークリスト要求は、後述の検査前処理では、送信元の医用画像取得装置１４０で、連続して検査を行う全被検体のワークリスト２００を要求するよう構成される。また、検査後処理では、検査前処理で要求した全被検体のワークリスト２００を要求するよう構成される。
【００３２】
判別部３１２は、２つのワークリスト２００の整合性を判別する。本実施形態では、検査を実行するために用いたワークリスト２００と、検査により取得した医用画像を画像管理サーバ１３０に送信する直前に取得したワークリスト２００との整合性を判別する。判別は、ワークリスト２００毎に、すなわち、被検体毎に、両ワークリスト２００の患者情報および検査情報それぞれを比較することにより行う。そして、その結果（整合性有り、または、整合性無し）を判別結果として出力する。
【００３３】
検査前処理部３１３は、検査前の準備処理（検査前処理）を行う。検査前処理部３１３は、操作者から検査前処理開始の指示を受け付けたことを契機に検査前処理を開始する。本実施形態では、検査対象の被検体のワークリスト２００を取得し、実行ワークリストとしてデータ保存部３６０に保存する。実行ワークリストの取得は、リスト取得部３１１に行わせる。検査対象の被検体が複数の場合は、複数のワークリスト２００を取得する。
【００３４】
検査実行部３１４は、実行ワークリストに従って、画像取得部３２０を動作させ、医用画像を取得することにより、検査を実行する。また、実行ワークリストから、取得した医用画像に付帯させる付帯情報を生成する。
【００３５】
検査後処理部３１５は、検査終了後の処理（検査後処理）を行う。検査後処理部３１５は、操作者から検査後処理開始の指示を受け付けたこと、あるいは、データ保存部３６０に医用画像が保存されている状態で通信ネットワーク１１０に接続されたことを契機に検査後処理を開始する。本実施形態では、検査を実施した被検体の最新のワークリスト（最新ワークリスト）２００を取得し、実行ワークリストとの整合性を判別し、判別結果に応じた処理を行う。最新ワークリストの取得は、リスト取得部３１１に行わせる。
【００３６】
また、整合性の判別は、判別部３１２に行わせる。検査後処理部３１５は、判別部３１２による判別結果が、両者が整合していることを意味するものである（整合性有り）場合、付帯情報とともに取得した医用画像を画像管理サーバ１３０へ送信する。一方、判別結果が、患者情報および検査情報の少なくとも一方に不整合があることを意味するものである（整合性無し）場合、検査後処理部３１５は、ワークリスト２００に変更があることを通知する表示を生成し、操作者に通知する。操作者への通知は、生成した表示を表示部３４０に表示することにより行う。
【００３７】
図４に、このとき表示される表示例４００を示す。本図に示すように、表示は、不整合があることを意味するメッセージと、不整合が発生した患者（被検体）を特定する情報（患者ＩＤ）と、を備える。また、不整合があった患者（被検体）の、実行ワークリストおよび最新ワークリストの情報をさらに表示するよう構成してもよい。また、患者情報および検査情報のいずれに不整合があるか、あるいは、具体的な不整合箇所を通知するよう構成してもよい。
【００３８】
データ保存部３６０は、医用画像取得装置１４０内で生成されたデータ、取得したデータ、中間データ等を保持する。本実施形態では、画像取得部３２０が取得した医用画像、送受信部３３０を介して取得するワークリスト２００、不整合の場合に通知する表示生成用データなどを保持する。
【００３９】
本実施形態の医用画像取得装置１４０は、ＣＰＵとメモリと記憶装置とを備え、制御部３１０の各機能は、ＣＰＵが記憶装置に予め備えられたプログラムをメモリにロードして実行することにより実現する。また、データ保存部３６０は、記憶装置に構成される。
【００４０】
次に、本実施形態の医用画像取得装置１４０における、検査前処理から検査後処理までの検査ワークフローを説明する。ここでは、医用画像取得装置１４０として、通信ネットワーク１１０から切り離して検査を行う移動型の装置を用いる場合を例にあげて説明する。図５は、本実施形態の全体の処理のフローである。
【００４１】
データ保存部３６０に医用画像が保存されていない状態で通信ネットワーク１１０（Ｎ／Ｗ）に接続されると（ステップＳ１１００）、検査前処理部３１３は、検査前処理を行う（ステップＳ１１０１）。ここでは、リスト取得部３１１にワークリストサーバ１２０にワークリスト要求を送信させる（ステップＳ１１０１ａ）。本実施形態では、通信ネットワーク１１０から切り離している間に検査を実行する全被検体のワークリスト２００を要求させる。そして、要求に応じて送信されたワークリスト２００群を受信すると（ステップＳ１１０１ｂ）、検査前処理部３１３は、実行ワークリスト群としてデータ保存部３６０に保持する（ステップＳ１１０１ｃ）。
【００４２】
検査前処理を終えると、操作者は医用画像取得装置１４０を、通信ネットワーク１１０から切り離す。制御部３１０が通信ネットワーク１１０から切り離されたことを検出する（ステップＳ１１０２）と、検査実行部３１４は、通信ネットワーク１１０から切り離された状態で検査を実行する（ステップＳ１１０３）。
【００４３】
検査においては、操作者が医用画像取得装置１４０を所定の位置まで移動させ、検査開始の指示を行う。検査開始の指示を受け付けると（ステップＳ１１０３ａ）、検査実行部３１４は、まず、データ保存部３６０に保持する実行ワークリストに従って画像取得部３２０を制御し、医用画像を取得させる（ステップＳ１１０３ｂ）。そして、画像を取得する毎に、実行ワークリストから付帯情報を生成し（ステップＳ１１０３ｃ）、付帯情報とともに取得した医用画像をデータ保存部３６０に格納する（ステップＳ１１０３ｄ）。検査実行部３１４は、以上のステップＳ１１０３ａ〜ステップＳ１１０３ｄの処理を、被検体の向きや、例えば、超音波検査装置であれば、探触子の種類や位置を変更し、各被検体の検査毎に繰り返す（ステップＳ１１０３ｅ）。また、検査実行部３１４は、ステップＳ１１０３ａ〜ステップＳ１１０３ｅの処理を、被検体毎に繰り返す（ステップＳ１１０３ｆ）。
【００４４】
実行ワークリストとしてデータ保存部３６０に保持される全検査を終えると、操作者は、医用画像取得装置１４０を通信ネットワーク１１０に接続する。
【００４５】
データ保存部３６０に医用画像が保存される状態で、医用画像取得装置１４０が通信ネットワーク１１０に接続されると（ステップＳ１１０４）、検査後処理部３１５は、検査後処理を行い（ステップＳ１１０５）、処理を終了する。ここで、検査後処理の流れを図６に示す。
【００４６】
検査後処理部３１５は、まず、リスト取得部３１１に、ワークリストサーバ１２０に、ワークリスト要求を送信させ（ステップＳ１２０１）、要求に応じて送信されたワークリスト２００を受信する（ステップＳ１２０２）。このとき要求するのは、上記検査前処理でワークリストを要求した全被検体のワークリストであり、受信するのは、要求時点の最新のワークリスト（最新ワークリスト）である。
【００４７】
最新ワークリストを受信すると、検査後処理部３１５は、被検体毎に、判別部３１２に、最新ワークリストと、データ保存部３６０に保持する実行ワークリストとの整合性を判別させる（ステップＳ１２０３）。
【００４８】
判別結果が、当該被検体の患者情報および検査情報のいずれにも不整合がなく整合性有りの場合、検査後処理部３１５は、データ保存部３６０に保持される、当該被検体の医用画像を付帯情報とともに画像管理サーバに送信する（ステップＳ１２０４）。一方、判別結果が、患者情報および検査情報の少なくとも一方に不整合がある整合性無しの場合、検査後処理部３１５は、当該被検体の実行ワークリストおよび最新ワークリストを、データ保存部３６０に不整合ワークリストとして保持する（ステップＳ１２０５）。検査後処理部３１５は、ステップＳ１２０３からステップＳ１２０５の処理を全被検体について行う（ステップＳ１２０６）。
【００４９】
全被検体について処理を終えると、検査後処理部３１５は、データ保存部３６０に保存した不整合ワークリストを用い、ワークリストに変更があることを通知する表示を生成し、操作者に通知する（ステップＳ１２０７）。
【００５０】
以上説明したように、本実施形態によれば、検査終了後、医用画像を画像管理サーバ１３０に登録する前に、被検体毎に、最新のワークリストの内容を確認する。そして、実行時に用いたワークリストと、最新のワークリストとの間に不整合がある場合、操作者にそれを通知する。操作者は、その通知を見て、必要であれば、検査をやり直すことができる。
【００５１】
従って、本実施形態によれば、被検体に対する追加検査の有無を、医用画像を画像管理サーバ１３０へ登録する前に把握することができる。特に、判別結果が整合性無しである場合、患者情報および検査情報のいずれに不整合があるか、あるいは、具体的な不整合箇所を通知するよう構成すると、ワークリストの変更に対し、付帯情報を更新するだけで対処できるのか、改めて検査を行う必要があるかを判断できる。従って、画像管理サーバ１３０へ医用画像を登録する前に、ワークリストで指示された検査を確実に実行することができる。
【００５２】
従って、指示された検査を確実に実行でき、正確な付帯情報とともに医用画像を管理できる。このため、医用画像管理システム１００全体の信頼性が向上する。
【００５３】
なお、上記実施形態では、全被検体についてワークリストの整合性を判別後、不整合のある被検体をまとめて通知するよう構成しているが、これに限られない。例えば、上記ステップＳ１２０５において、保存する代わりに通知するよう構成してもよい。この場合、通知後、検査後処理部３１５は、操作者からの確認完了の指示を待ち、ステップＳ１２０６へ移行する。また、ステップＳ１２０７の処理は行わない。なお、確認完了の指示は、例えば、不整合ワークリストの通知画面に確認ボタン(ＯＫボタン）を設け、この確認ボタンの押下などにより行う。
【００５４】
なお、上記実施形態では、医用画像取得装置１４０を通信ネットワーク１１０から切り離して検査を行う場合を例にあげて説明しているが、検査の実施形態はこれに限られない。本実施形態は、医用画像取得装置１４０を通信ネットワーク１１０に接続した状態で検査を行う場合にも同様に適用できる。
【００５５】
ただし、接続した状態で検査を行う場合は、検査前処理部３１３は、操作者から検査前処理開始の指示を受け付け、検査前処理を開始する。また、検査後処理部３１５は、操作者から検査後処理開始の指示を受け付け、検査後処理を開始する。さらに、リスト取得部３１１は、検査前処理開始の指示、または、検査後処理開始の指示を受け、ワークリスト要求を送信する。
【００５６】
また、通信ネットワーク１１０に接続したまま、複数の被検体の検査を連続して行う場合、各被検体の検査毎に、検査後処理を行うよう構成してもよい。この場合は、１の被検体の全検査を終える毎に、検査後処理部３１５は検査後処理を実行する。この場合の制御部３１０による検査ワークフローの処理の流れを図７に示す。
【００５７】
まず、検査前処理部３１３は、操作者から検査前処理開始の指示を受け（ステップＳ１３００）、検査前処理を行う（ステップＳ１３０１）。検査前処理は、上記図６に示す処理と同様である。そして、制御部３１０は、検査実行部３１４および検査後処理部３１５に、検査対象の被検体毎に以下の処理を行わせる。
【００５８】
検査開始の指示を受け付けると（ステップＳ１３０２）、検査実行部３１４は、当該被検体の実行ワークリストに従って画像取得部３２０を制御し、医用画像を取得させる（ステップＳ１３０３）。そして、実行ワークリストから付帯情報を生成し（ステップＳ１３０４）、取得した医用画像とともにデータ保存部３６０に保存する（ステップＳ１３０５）。検査実行部３１４は、ステップＳ１３０２からステップＳ１３０５の処理を、被検体の向きや、例えば、超音波検査装置であれば、探触子の種類や位置を変更し、実行ワークリストに登録される全検査について行う（ステップＳ１３０６）。
【００５９】
当該被検体について、実行ワークリストに登録される全検査の処理が終了すると、検査後処理部３１５は、リスト取得部３１１にワークリストサーバ１２０へ当該被検体のワークリスト要求を送信させ（ステップＳ１３０７）、最新ワークリストを取得する（ステップＳ１３０８）。
【００６０】
そして、判別部３１２に実行ワークリストと最新ワークリストとを比較し、両者の整合性の有無を判別させる（ステップＳ１３０９）。検査後処理部３１５は、整合性があると判別された場合、付帯情報とともに医用画像を画像管理サーバ１３０へ送信する（ステップＳ１３１０）。一方、検査後処理部３１５は、整合性無しと判別された場合、不整合を通知する表示を生成し、表示部３４０へ表示し、操作者に通知する（ステップＳ１３１１）。
【００６１】
制御部３１０は、検査実行部３１４および検査後処理部３１５に、上記ステップＳ１３０２からステップＳ１３１１の処理を、ステップＳ１３０１で実行ワークリストを取得した、全被検体について繰り返し実行させる（ステップＳ１３１２）。
【００６２】
ステップＳ１３１１で通知を受けた操作者は、例えば、本処理を中断し、最新ワークリストを実行リストに置き換え、不足する検査を継続する。
【００６３】
このように構成することにより、操作者は、各被検体の対する追加検査の有無を、当該被検体の検査終了前に把握することができる。従って、例えば、追加の検査がある場合、そのままの状態で被検体の検査を継続することができる。従って、上記効果に加え、さらに、被検体に対する検査の負荷低減に繋がるとともに、全体の検査にかかる時間が減少し、当該医用画像取得装置のスループットが向上する。
【００６４】
なお、上記実施形態では、所定の期間（例えば、１日）に医用画像取得装置１４０で検査を実行する複数の被検体のワークリストを１度に取得し、検査を連続して実行する場合を例にあげて説明したが、これに限られない。例えば、通信ネットワーク１１０に接続した状態で検査を行う場合は、被検体毎に、検査前処理、検査処理、検査後処理を行うよう構成してもよい。この場合の検査ワークフローを図８に示す。
【００６５】
検査前処理部３１３は、検査前処理開始の指示を受け付けると（ステップＳ１４００）、検査対象の被検体に関し、検査前処理を行う（ステップＳ１４０１）。ここでは、リスト取得部３１１にワークリストサーバ１２０にワークリスト送信要求を行わせ（ステップＳ１４０１ａ）、折返しワークリスト２００を受信すると（ステップＳ１４０１ｂ）、実行ワークリストとしてデータ保存部３６０に保存する（ステップＳ１４０１ｃ）。
【００６６】
そして、検査実行部３１４は、検査開始指示を受け付けると（ステップＳ１４０３ａ）、検査を実行する（ステップＳ１４０３）。ここでは、実行ワークリストに登録される検査毎に、上記実施形態と同様の手法で、医用画像を取得し（ステップＳ１４０３ｂ）、付帯情報を生成し（ステップＳ１４０３ｃ）、データ保存部３６０に保存する（ステップＳ１４０３ｄ）。ステップＳ１４０３ａ〜ステップＳ１４０３ｄまでの処理を全検査について繰り返す（ステップＳ１４０３ｅ）。
【００６７】
全検査について処理を終えると、検査後処理部３１５は、検査後処理を実行する（ステップＳ１４０５）。ここでは、まず、リスト取得部３１１にワークリストサーバ１２０に当該被検体のワークリストを要求させる（ステップＳ１４０５ａ）。折返し、最新ワークリストを受信すると（ステップＳ１４０５ｂ）、判別部３１２に実行ワークリストとの整合性を判別させる（ステップＳ１４０５ｃ）。そして、検査後処理部３１５は、整合する場合、データ保存部３６０に保存される医用画像を、付帯情報とともに画像管理サーバ１３０に送信する（ステップＳ１４０５ｅ）。一方、整合しない場合は、不整合である旨通知する表示を生成し、操作者に通知する（ステップＳ１４０５ｄ）。
【００６８】
このように構成することにより、上記変形例同様、各被検体の対する追加検査の有無を、当該被検体の検査終了前に把握することができる。従って、例えば、追加の検査がある場合、そのままの状態で被検体の検査を継続することができる。従って、上記効果に加え、さらに、被検体に対する検査の負荷低減に繋がるとともに、全体の検査にかかる時間が減少し、当該医用画像取得装置のスループットが向上する。なお、ワークリストを検査単位で取得可能な場合は、各検査終了後、ワークリストを取得して整合性を判別し、上記同様、通知または画像管理サーバ１３０へ送信するよう構成してもよい。
【００６９】
以上説明したように、本実施形態によれば、ワークリストサーバ１２０内の患者情報および検査情報と、画像管理サーバ１３０内の患者情報および検査情報からなる付帯情報との不一致を回避することを支援できる。また、検査中にワークリストに変更がある場合であっても、新たなハードウェアを追加することなく、また、現在のＤＩＣＯＭ規格やＩＨＥのガイドラインに沿った検査ワークフロー内で、医用画像取得装置の操作者が、ワークリストの変更を把握することができる。従って、操作者は、特別な負担無しに適切な対処を取ることができる。
【００７０】
＜＜第二の実施形態＞＞
次に、本発明を適用する第二の実施形態について説明する。本実施形態では、実行したワークリストと、最新のワークリストとの間に不整合があった場合、通知するだけでなく、操作者からの指示に応じて、医用画像に付帯させる情報を、最新のワークリストに整合させる。以下、本実施形態について、第一の実施形態と異なる構成に主眼をおいて説明する。
【００７１】
本実施形態の医用画像管理システム１００の構成は、基本的に、図１に示す第一の実施形態の構成と同様である。また、本実施形態の医用画像取得装置１４０の機能構成も図２に示す第一の実施形態の機能構成と同様である。さらに、本実施形態の制御部３１０の各部による検査前処理、検査も第一の実施形態と同様である。また、検査実行部による検査は、通信ネットワーク１１０と切断して行ってもよいし、接続された状態で行ってもよい。ただし、検査後処理部３１５による検査後処理および判別部３１２による判別処理が異なる。
【００７２】
本実施形態の判別部３１２は、検査情報で特定される検査毎に、すなわち、取得した医用画像毎に、最新ワークリストと実行ワークリストとの整合性を判別する。具体的には、実行ワークリストそのものではなく、各医用画像の付帯情報と最新ワークリスト内の患者情報および検査情報との整合性を判別する。ここでは、医用画像の付帯情報毎に、当該付帯情報に合致する情報が最新ワークリストに存在するか否か、判別する。まず、付帯情報の患者情報について、合致の有無を判別し、その後、付帯情報の検査情報について、該当する検査情報の有無を検索する。患者情報が合致し、かつ、検査情報に合致する検査情報が最新ワークリストにある場合、整合性有りと判別する。そして、その他の場合、整合性無しと判別する。さらに、全付帯情報について、判別処理を終えた後、いずれの付帯情報の検査情報にも合致しない検査情報が最新ワークリストにある場合、当該検査情報も、不整合データと判別し、出力する。
【００７３】
また、本実施形態の検査後処理部３１５は、リスト取得部３１１に最新ワークリストを取得させ、判別部３１２に検査毎に、実行ワークリストと最新ワークリストとの整合性を判別させる。整合性の判別は、実行ワークリストおよび最新ワークリストの両ワークリストに含まれる全検査について行う。そして、判別結果が整合性有りの場合は、第一の実施形態同様、付帯情報とともに医用画像を画像管理サーバ１３０へ送信する。一方、整合性無しの場合、操作者に、患者情報および検査情報の中のいずれが不整合であるかを示す情報とともに不整合がある旨を通知する。
【００７４】
さらに、本実施形態の検査後処理部３１５は、操作者に、付帯情報を最新ワークリストの情報に置換えてから医用画像を送信する、付帯情報を置き換えずに医用画像を送信する、および、医用画像を送信しない、の３つの選択肢から処理を選択可能な表示画面を生成し、表示する。そして、操作者に選択に応じ、選択された処理を実行する。このとき表示される画面例４１０を図９に示す。
【００７５】
本図に示すように、画面例４１０は、データ表示部４１１と、付帯情報を最新ワークリストの情報に置換えてから医用画像を送信する指示を受け付ける第一の受付領域４１２と、付帯情報を置き換えずに医用画像を送信する指示を受け付ける第二の受付領域４１３と、医用画像を送信しない指示を受け付ける第三の受付領域４１４とを備える。データ表示部４１１には、不整合がある旨を通知するメッセージと、不整合が発生したデータとが表示される。
【００７６】
また、検査後処理部３１５は、判別部３１２が、最新ワークリスト側の不整合データと判別した検査情報を、不整合データとしてデータ保存部３６０に保存する。これは、最新ワークリストには登録され、かつ、実行ワークリストには登録されていない検査情報であり、検査中に追加となった検査である。なお、検査後処理部３１５は、第三の受付領域４１４を介して医用画像を送信しないとの指示を受け付けた場合、当該医用画像の付帯情報を不整合データとしてデータ保存部３６０に保存し、全被検体の検査後処理終了後に操作者に提示するよう構成してもよい。
【００７７】
以下、本実施形態の、検査後処理部３１５による検査後処理の処理の流れを説明する。図１０は、本実施形態の検査後処理の処理フローである。本実施形態の検査後処理も、第一の実施形態同様の契機で開始する。
【００７８】
検査後処理部３１５は、第一の実施形態同様、リスト取得部３１１に、ワークリストサーバ１２０に検査対象の被検体のワークリスト要求を送信させ（ステップＳ１５０１）、その時点の最新のワークリスト（最新ワークリスト）を受信する（ステップＳ１５０２）。
【００７９】
そして、検査後処理部３１５は、各被検体の検査毎に、判別部３１２に最新ワークリストと実行ワークリスト（付帯情報）との整合性を判別させ（ステップＳ１５０３）、判別結果に応じた処理を行う。
【００８０】
判別結果が、整合性有りの場合、第一の実施形態同様、検査後処理部３１５は、データ保存部３６０に保持される医用画像を、付帯情報とともに画像管理サーバ１３０へ送信する（ステップＳ１５０４）。
【００８１】
一方、判別結果が整合性無しの場合、検査後処理部３１５は、画面例４１０を表示部３４０に表示させ、患者情報および検査情報のいずれに不整合があるかの情報を操作者に不整合があることを通知し（ステップＳ１５０５）、操作者からの選択を受け付ける（ステップＳ１５０６）。操作者は、この通知を受け、その後の処理を選択する。
【００８２】
付帯情報を最新ワークリストの情報で更新して送信するとの指示を受け付けた場合（ステップＳ１５０７）、検査後処理部３１５は、最新ワークリストを用いて付帯情報を再作成し、作成した付帯情報で付帯情報を更新する（ステップＳ１５０８）。そして、ステップＳ１５０４へ移行し、更新後の付帯情報とともにデータ保存部３６０に保存される医用画像を画像管理サーバ１３０へ送信する。
【００８３】
一方、更新せずに送信するとの指示を受け付けた場合（ステップＳ１５０９）、検査後処理部３１５は、ステップＳ１５０４へ移行し、データ保存部３６０に保存される付帯情報と医用画像とを管理サーバ１３０へ送信する。
【００８４】
また、送信しないとの指示を受け付けた場合、検査後処理部３１５は、ステップＳ１５０３へ移行し、次の検査の処理を行う。検査後処理部３１５は、ステップＳ１５０３からステップＳ１５０９の処理を、１の被検体の、実行ワークリスト上の全検査について繰り返す（ステップＳ１５１０）。
【００８５】
そして、いずれの検査情報にも合致しない検査情報が最新ワークリスト側にあれば、当該検査情報も患者情報とともに不整合データとして保存する（ステップＳ１５１１）。さらに、ステップＳ１５０３からステップＳ１５１１の処理を、全被検体について繰り返す（ステップＳ１５１２）。
【００８６】
そして、全被検体について、上記処理を終えると、検査後処理部３１５は、不整合データとしてデータ保存部３６０に保存されている最新ワークリストの情報を表示部３４０に表示し、不整合データがあることを操作者に通知し（ステップＳ１５１３）、処理を終了する。
【００８７】
操作者は、通知されたデータを見ることにより、再度検査を行う等対処を行うことができる。
【００８８】
以上説明したように、本実施形態によれば、検査を終え、画像管理サーバ１３０に取得した医用画像を送信する前に、不整合の有無を検出することができる。そして、不整合がある場合、不整合の内容を操作者に通知し、操作者の指示に従って、付帯情報を更新してから医用画像を画像管理サーバ１３０に送信する。
【００８９】
従って、操作者は、例えば、不整合の内容を見て、不整合が患者情報だけである場合、付帯情報を最新のものに更新し、画像管理サーバ１３０に送信することができる。一方、検査情報にも不整合がある場合は、医用画像の送信を取りやめることができる。その後、最新の検査情報に従って、検査をやり直すことができる。
【００９０】
従って、本実施形態によれば、第一の実施形態で得られる効果に加え、さらに、ワークリストサーバ１２０内の患者情報および検査情報と、画像管理サーバ１３０内の患者情報および検査情報からなる付帯情報との不一致を回避できる。
【００９１】
上記実施形態では、実行ワークリストと最新ワークリストとの整合性の判別を、検査単位で行うよう構成しているが、これに限られない。例えば、被検体単位で患者情報の整合性を判別し、更新の指示に応じて更新し、その後、当該被検体について、検査単位で検査情報の整合性を判別するよう構成してもよい。この場合の処理フローを図１１に示す。
【００９２】
上記実施形態同様に最新ワークリストを取得すると（ステップＳ１６０１、１６０２）、検査後処理部３１５は、判別部３１２に、被検体毎に、実行ワークリストと最新ワークリストとを比較させ、まず、患者情報の整合性を判別させる（ステップＳ１６０３）。判別結果が整合性無しの場合、検査後処理部３１５は、その旨、表示部３４０に表示し、操作者に通知する（ステップＳ１６０４）。このとき、検査後処理部３１５は、更新するか否かの指示を受け付けるボタンも表示させる。操作者は、それを受け、更新するか否かの指示を行う。
【００９３】
操作者から更新の指示を受け付けると（ステップＳ１６０５、Ｓ１６０６）、検査後処理部３１５は、データ保存部３６０に保持される、当該被検体の全医用画像の付帯情報の、患者情報部分を更新する（ステップＳ１６０７）。
【００９４】
その後、検査後処理部３１５は、検査毎に、判別部３１２に検査情報の整合性を判別させる（ステップＳ１６０８）。判別結果が整合性有りの場合は、当該医用画像を画像管理サーバ１３０へ送信し（ステップＳ１６０９）、整合性無しの場合は、ステップＳ１６１０へ移行する。
【００９５】
検査後処理部３１５は、ステップＳ１６０８からステップＳ１６０９の処理を、各被検体の、実行ワークリストの全検査について繰り返す（ステップＳ１６１０）。そして、全検査の処理を終えると、いずれの検査情報にも合致しない検査情報が最新ワークリスト側にあれば、当該検査情報も患者情報とともに不整合データとして保存する（ステップＳ１６１１）。
【００９６】
そして、次の被検体について、ステップＳ１６０３からステップＳ１６１１の処理を繰り返す。全被検体について、これらの処理を終えると（ステップＳ１６１２）、検査後処理部３１５は、不整合データを表示部３４０に表示することにより、操作者に通知し（ステップＳ１６１３）、処理を終了する。
【００９７】
このように構成することにより、本実施形態の上記効果に加え、患者情報の判別回数が減るため、処理の高速化が図れる。
【００９８】
なお、本変形例において、患者情報に不整合がある場合は、操作者の指示を待たず、更新するよう構成してもよい。
【００９９】
さらに、本実施形態では、不整合データがあった場合、不整合データで実行ワークリストを更新し、不整合データがなくなるまで、検査を継続するよう構成してもよい。この場合の制御部３１０による処理の流れを図１２に示す。
【０１００】
検査前処理開始の指示を受け付けると（ステップＳ１７０１）、検査前処理部３１３は、上記実施形態同様、検査前処理を行う（ステップＳ１７０２）。その後、検査実行部３１４は、上記実施形態同様、検査処理を行う（ステップＳ１７０３）。そして、全検査が終了すると、検査後処理部３１５は、上記実施形態のステップＳ１５０１からステップＳ１５１２の処理を行う（ステップＳ１７０４〜ステップＳ１７１５）。
【０１０１】
そして、制御部３１０は、不整合データがあるか否かを判別し（ステップＳ１７１６）、不整合データがなければ、処理を終了する。一方、不整合データがある場合、データ保存部３６０に保持される実行ワークリストを、当該不整合データで更新し、ステップＳ１７０３へ移行する。
【０１０２】
このように構成することにより、画像送信時点で最新のワークリストと実行ワークリストに不整合があった場合であっても、改めて検査ワークフローを最初から実行することなく、不整合が発生した検査に関し再検査を行うことができる。従って、操作者の負担を低減できる。
【０１０３】
さらに、上記変形例のように、患者情報が不整合の場合は、自動的に付帯情報を最新ワークリスト内の患者情報で更新し、検査情報が不整合の場合は、不整合データとして保持し、図１２に示すように、不整合データがなくなるまで、処理を繰り返すよう構成してもよい。このように構成することにより、操作者の負担は、さらに低減する。
【０１０４】
以上説明したように、本実施形態によれば、検査中にワークリストに変更がある場合であっても、新たなハードウェアを追加することなく、また、現在のＤＩＣＯＭ規格やＩＨＥのガイドラインに沿った検査ワークフロー内で、医用画像取得装置の操作者が、ワークリストの変更を把握することができる。そして、ワークリストサーバ１２０内の患者情報および検査情報と、画像管理サーバ１３０内の患者情報および検査情報からなる付帯情報との不一致を、煩雑な処理無しで回避することができる。また、操作者の新たな負担を極力抑え、ワークリストに指示された検査を正確に実行することができる。
【０１０５】
なお、本実施形態では、検査対象の全被検体の検査終了後、各被検体の検査毎に実行ワークリストと最新ワークリストとの整合性を判別して処理を行うよう構成しているが、これに限られない。第一の実施形態同様、被検体毎に、当該被検体の全検査終了後、検査毎に両ワークリストの整合性を判別して処理を行うよう構成してもよい。また、各被検体の検査終了毎に、両ワークリストの整合性を判別して処理を行うよう構成してもよい。
【０１０６】
なお、リスト取得部３１１、判別部３１２、検査前処理部３１３および検査後処理部３１５は、医用画像取得装置１４０とは独立した情報処理装置であって、医用画像取得装置１４０および通信ネットワーク１１０とデータの送受信が可能な情報処理装置上に構成されていてもよい。
【符号の説明】
【０１０７】
１００：医用画像管理システム、１１０：通信ネットワーク、１２０：ワークリストサーバ、１３０：画像管理サーバ、１４０：医用画像撮影装置、２００：ワークリスト、２１０：患者情報、２２０：検査情報、３１０：制御部、３１１：リスト取得部、３１２：判別部、３１３：検査前処理部、３１４：検査実行部、３１５：検査後処理部、３２０：画像取得部、３３０：送受信部、３４０：表示部、３５０：操作部、３６０：データ保存部、４００：メッセージ、４１０：画面例、４１１：メッセージ表示部、４１２：第一の受付領域、４１３：第二の受付領域、４１４：第三の受付領域
【図１】
0005615077.tif 000002
【図２】
0005615077.tif 000003
【図３】
0005615077.tif 000004
【図４】
0005615077.tif 000005
【図５】
0005615077.tif 000006
【図６】
0005615077.tif 000007
【図７】
0005615077.tif 000008
【図８】
0005615077.tif 000009
【図９】
0005615077.tif 000010
【図１０】
0005615077.tif 000011
【図１１】
0005615077.tif 000012
【図１２】
0005615077.tif 000013